(57)【特許請求の範囲】
【請求項１】
乳幼児の身体を縦抱き状態で保持するシート部、前記シート部から延びて縦抱き状態および横抱き状態で着用者の肩に掛けられる１対の肩ベルト、および前記シート部から延びて縦抱き状態で着用者の腰に回し掛けされる腰ベルトを有する縦抱き用シートと、
乳幼児の頭を横抱き状態で支持するヘッドシート部、乳幼児の背中および尻を横抱き状態で支持するバックシート部、および前記バックシート部から起立して乳幼児の股と対面するクロッチ部を有し、前記縦抱きシートに着脱可能に取り付けられる横抱きシートとを備え、
前記横抱きシートは、前記縦抱きシートに取り付けられた状態で、前記腰ベルトを畳んで保持する腰ベルト保持部をさらに有することを特徴とする、子守帯。
【請求項２】
前記横抱きシートのバックシート部は前記縦抱きシートのシート部に重なるよう取り付けられ、前記腰ベルト保持部は前記クロッチ部に設けられる、請求項１に記載の子守帯。
【請求項３】
前記腰ベルト保持部は畳まれた前記腰ベルトを収納する袋である、請求項１または２に記載の子守帯。
【請求項４】
前記袋は前記横抱きシートの下側面に設けられて横抱きシートの長手方向に出し入れされるポケットである、請求項３に記載の子守帯。
【請求項５】
前記ポケットの出入口が前記横抱きシートの幅方向に延在して、前記ポケットの奥側がポケット出入口よりも幅方向に広がって形成されて、畳まれた前記腰ベルトをポケット奥側に収納する、請求項４に記載の子守帯。
【請求項６】
前記横抱きシートは、根元が前記バックシート部と結合し、先端が前記１対の肩ベルトの一端とそれぞれ接続する１対の接続ベルトをさらに有する、請求項１〜５のいずれかに記載の子守帯。
【請求項７】
前記接続ベルトは横抱き状態で前記クロッチ部に設けられたベルト案内部に通される、請求項６に記載の子守帯。
【請求項８】
前記縦抱きシートは、前記縦抱きシートのシート部および１対の肩ベルトをまとめて畳んだ状態で保持する縦抱きシート保持部をさらに有する、請求項１〜７のいずれかに記載の子守帯。
【請求項９】
前記縦抱きシート保持部は、両端が前記腰ベルトと結合し、中間領域が前記シート部および前記１対の肩ベルトを束ねる帯である、請求項８に記載の子守帯。
【請求項１０】
前記腰ベルト保持部は畳まれた前記腰ベルトを束ねる帯である、請求項１または２に記載の子守帯。
【発明の詳細な説明】
【技術分野】
【０００１】
本発明は、縦抱きにも横抱きにも使用可能な子守帯に関する。
【背景技術】
【０００２】
乳児は、生後まもなくは首が座らず縦抱きは不向きであり、横抱きの子守帯を用いる必要がある。乳児の首が座ると乳児を縦抱きすることができる。こういった事情から、例えば特開２００４−１８１２６８号公報（特許文献１）に記載される子守帯のように、縦抱きと横抱きを兼用する構成が従来知られている。特許文献１に記載される子守帯は、乳児を保持するシート状の赤ちゃん保持部材と、子守帯の着用者が着用するベストあるいはチョッキのような使用者装着部材を備える。赤ちゃん保持部材は使用者装着部材に着脱可能に連結される。使用者装着部材は子守帯の着用者の両肩に掛けられる１対の肩ベルトと着用者の腰に巻き掛けられる腰ベルトとを有する。
【０００３】
また特開２００７−２６８０７４号公報（特許文献２）に記載される子守帯は、幼児を縦抱き状態で保持するための縦抱き用シートと、幼児を横抱き状態で保持するための横抱き用シートとを備える。
【先行技術文献】
【特許文献】
【０００４】
【特許文献１】特開２００４−１８１２６８号公報
【特許文献２】特開２００７−２６８０７４号公報
【発明の概要】
【発明が解決しようとする課題】
【０００５】
ところで、乳幼児の成長は速くその体重がどんどん増えていくので、成長するにしたがって子守帯を着用する着用者の両肩には大きな負担がかかるようになる。そこで、乳児の体重を着用者の肩および腰に好適に分担して支持することができる子守帯が好まれる。乳幼児の体重を含む子守帯の荷重を着用者の腰に着実に伝達し、着用者の腰の広範囲に子守帯の荷重を分散させて着用者の疲労を軽減するには、乳児を保持する縦抱き用のシートの左右両側に１対の肩ベルトを結合し、このシートの下側に腰ベルトを結合し、腰ベルトの厚み寸法や幅寸法を大きくするとよい。
【０００６】
しかしながら、特許文献２に記載された子守帯は腰ベルトを有しない。また特許文献１に記載された子守帯にあっては、ベストあるいはチョッキのような使用者装着部材が腰ベルトを含むものの、赤ちゃん保持部材が使用者装着部材にバックルやファスナで着脱可能に連結されるため、乳幼児の支持が不安定となり、さらには縦抱きおよび横抱きの双方において着脱操作が面倒である。
【０００７】
そこで、乳児を保持する縦抱き用のシートに、厚みおよび幅が大きく縦抱きに好適な肩ベルトおよび腰ベルトを分離不能に結合することが考えられる。しかし、従来よりも大きな腰ベルトがシートに結合した子守帯を、今度は横抱きにして使用する場合、腰ベルトが使用されることなく、しかも大きな腰ベルトは邪魔になる。
【０００８】
かといって、大きな腰ベルトのみをシートに脱着可能とすれば、荷重を着用者の腰に適正に分散することができず、さらには誤使用の懸念や、紛失の懸念がある。
【０００９】
本発明は、上述の実情に鑑み、縦抱きにおいてはシートに結合する大きな腰ベルトを使用することが可能で、横抱きにおいては腰ベルトを好適に縮小することができる子守帯の構造を提供する。
【課題を解決するための手段】
【００１０】
この目的のため本発明による子守帯は、乳幼児の身体を縦抱き状態で保持するシート部、シート部から延びて縦抱き状態および横抱き状態で着用者の肩に掛けられる１対の肩ベルト、およびシート部から延びて縦抱き状態で着用者の腰に回し掛けされる腰ベルトを有する縦抱き用シートと、乳幼児の頭を横抱き状態で支持するヘッドシート部、乳幼児の背中および尻を横抱き状態で支持するバックシート部、およびバックシート部から起立して乳幼児の股と対面するクロッチ部を有し、縦抱きシートに着脱可能に取り付けられる横抱きシートとを備える。そして、横抱きシートは、縦抱きシートに取り付けられた状態で、腰ベルトを畳んで保持する腰ベルト保持部をさらに有することを特徴とする。
【００１１】
かかる本発明によれば、乳幼児を縦抱きおよび横抱き可能な子守帯において、縦抱きシートが肩ベルトおよび腰ベルトを有することから、縦抱き状態で乳幼児を安定して支持することができ、煩雑な着脱操作が軽減される。そして特許文献１のような別体のベストあるいはチョッキが不要になる。また、縦抱き状態でシート部の長手方向他方端部と結合する腰ベルトを着用者の腰に巻き掛けて、乳幼児の体重を着用者の腰の広範囲に分散させることができる。さらに、横抱き状態でこの腰ベルトを畳んで縮小することができ、邪魔になることがない。しかも、横抱きシートに設けられた腰ベルト保持部がシートに設けられた腰ベルトを保持することから、腰ベルト保持部は横抱きシートを縦抱きシートに固定する役割を果たすことができる。
【００１２】
腰ベルト保持部は、子守帯の横抱き状態で使用されない腰ベルトを、畳んだ状態に保持するものであればよくその構成、位置、および形状は特に限定されない。本発明の好ましい実施形態として、横抱きシートのバックシート部は縦抱きシートのシート部に重なるよう取り付けられ、腰ベルト保持部はクロッチ部に設けられる。かかる実施形態によれば、腰ベルト保持部が畳まれた腰ベルトを保持することによって厚みを増し、結果的にクロッチ部の厚みを大きくすることができる。他の実施形態として腰ベルト保持部はクロッチ部以外に配置される。
【００１３】
本発明の一実施形態として、腰ベルト保持部は畳まれた腰ベルトを収納する袋である。かかる実施形態によれば、畳まれた腰ベルトをすっきりと収納することができる。袋はシートの幅方向外方から腰ベルトに被さるものであってもよいし、シートの長手方向一方あるいは他方から腰ベルトに被さるものであってもよく、袋の形状は特に限定されない。他の実施形態として、腰ベルト保持部は、畳まれた腰ベルトを係止する面ファスナやボタンであってもよい。
【００１４】
本発明の好ましい実施形態として、腰ベルトを収納する袋は横抱きシートの下側面に設けられて横抱きシートの長手方向に出し入れされるポケットである。ポケットの形状は特に限定されない。より好ましい実施形態として、ポケットの出入口が横抱きシートの幅方向に延在して、ポケットの奥側がポケット出入口よりも幅方向に広がって形成されて、畳まれた腰ベルトをポケット奥側に収納する。かかる実施形態によれば、腰ベルトがポケットから不用意に抜け出すことを防止することができる。他の実施形態として、ポケットの出入口の幅方向寸法がポケットの奥側の幅方向寸法と略等しくてもよい。
【００１５】
本発明の好ましい実施形態として、横抱きシートは、根元がバックシート部と結合し、先端が１対の肩ベルトの一端とそれぞれ接続する１対の接続ベルトをさらに有する。かかる実施形態によれば、接続ベルトと肩ベルトを接続することによって、肩ベルトを延長することができ、肩ベルトの長さを縦抱き状態および横抱き状態のそれぞれに適合させることができる。また。他の実施形態として、肩ベルトの一端および他端が縦抱きシートと連結してもよい。
【００１６】
本発明は一実施形態に限定されるものではないが、接続ベルトは横抱き状態でクロッチ部に設けられたベルト案内部に通されてもよい。かかる実施形態によれば、腰ベルト保持部が横抱き状態で子守帯の荷重を負担する接続ベルトに沿って保持されることから、腰ベルトおよび腰ベルト保持部がぶらぶらと揺動することがない。
【００１７】
本発明は一実施形態に限定されるものではないが、縦抱きシートは、縦抱きシートのシート部および１対の肩ベルトをまとめて畳んだ状態で保持する縦抱きシート保持部をさらに有してもよい。かかる実施形態によれば、子守帯で乳幼児を保持しない場合であっても、シート部および１対の肩ベルトをまとめて畳むことができる。したがって着用者の腰に腰ベルトを巻き掛け、シート部および１対の肩ベルトを縮小した状態で、着用者は縦抱きシートを身に着けることができる。
【００１８】
一実施形態として、縦抱きシート保持部は、両端が腰ベルトと結合し、中間領域がシート部および１対の肩ベルトを束ねる帯であってもよい。かかる実施形態によれば、シート部および１対の肩ベルトを縮小した状態を、帯によって保持することができる。他の実施形態として、帯は腰ベルトとシート部の境界に設けられた貫通孔を貫通して、シート部および１対の肩ベルトを束ねる。さらに他の実施形態として、縦抱きシート保持部は、シート部および１対の肩ベルトを収納する袋である。
【００１９】
上述した袋ないしポケットの他、腰ベルト保持部は、畳まれた腰ベルトを束ねる帯であってもよい。
【発明の効果】
【００２０】
このように本発明は、横抱き状態で使用されない腰ベルトを畳んで縮小することができることから、横抱き状態で腰ベルトが邪魔になることがない。しかも縦抱き状態でこの腰ベルトを着用者の腰に巻き掛けて子守帯の荷重を好適に分担して、しかも荷重を着用者の腰全体に分散させることができる。
【図面の簡単な説明】
【００２１】
【図１】本発明の一実施形態になる子守帯の縦抱きシート外側面を示す図である。
【図２】同実施形態の縦抱きシート内側面を示す図である。
【図３】同実施形態の縦抱きシートが縦抱き状態で乳児を保持する状態を示す図である。
【図４】縦抱き状態で用いられる縦抱きシートの外側面を示す図である。
【図５】縦抱きシートを縦抱き状態で用いる状態を示す図である。
【図６】縦抱きシートの外側面を拡大して示す図である。
【図７】縦抱きシートのシート部を縮小した状態を示す図である。
【図８】同実施形態になる子守帯の横抱きシートの下側面を示す図である。
【図９】横抱きシートの上側面を示す図である。
【図１０】横抱き状態で乳児を保持した状態を示す図である。
【図１１】腰ベルトを折り畳んで収納する過程を示す図である。
【図１２】腰ベルトを折り畳んで収納する過程を示す図である。
【図１３】横抱きシートの接続ベルトをまとめる過程を示す図である。
【図１４】横抱きシートの接続ベルトをまとめる過程を示す図である。
【図１５】横抱きシートと縦抱きシートの接続箇所を拡大して示す図である。
【図１６】子守帯を横抱き状態で用いる状態を示す図である。
【発明を実施するための形態】
【００２２】
以下、本発明の実施の形態を、図面に示す実施例に基づき詳細に説明する。
【００２３】
図１は本発明の一実施例になる子守帯の縦抱きシート外側面を示す図であり、図２は同実施形態の縦抱きシート内側面を示す図である。図３は、同実施形態の縦抱きシートが縦
抱き状態で乳児を保持する状態を示す図である。図４は縦抱き状態で用いられる縦抱きシートの外側面を示す図である。図５は子守帯の着用者が同実施形態の縦抱きシートを縦抱き状態で用いる状態を示す図であり、だっこの場合を示す。
【００２４】
この説明の中で、縦抱き状態とは、乳幼児の頭を上にして乳幼児の足を下にして保持することをいい、おんぶおよびだっこのいずれであってもよい。また横抱き状態とは、乳幼児の体を略水平にすることをいい、一般的には乳幼児の頭と足が着用者（乳幼児の保護者）の左右方向になるよう、着用者の腹部に隣接して支持するものである。
【００２５】
また、この説明の中で、内側面とは乳幼児と接触する面をいい、縦抱き状態にあっては子守帯の着用者に指向する面になる。これに対し外側面とは、内側面とは反対側の面をいい、縦抱き状態にあっては子守帯の着用者と反対側の面をいう。
【００２６】
また、この説明の中で、シートの幅方向とは、縦抱き状態にあっては乳幼児および着用者からみて左右方向に等しく、横抱き状態にあっては乳幼児からみて左右方向に等しいとともに着用者からみて前後方向に等しい。またシートの長手方向とは、縦抱き状態にあっては乳幼児および着用者からみて上下方向（すなわち頭から足まで身体の延在方向）に等しく、横抱き状態にあっては乳幼児からみて頭から足まで身体の延在方向に等しいとともに着用者からみて左右方向に等しい。つまり長手方向とは幅方向と直角な方向をいい、シートの長手方向寸法および幅方向寸法の長短を限定するものではない。
【００２７】
また、横抱き状態で使用される横抱きシートは、縦抱きシートのシート部と重なるように取り付けられることから、横抱きシートの幅方向とは乳幼児からみて左右方向に等しい。また横抱きシートの長手方向とは、乳幼児からみて頭から足まで身体の延在方向に等しい。
【００２８】
本実施例の子守帯は、図１〜図５に示す縦抱きシート１０および後述する横抱きシートを備える。縦抱きシート１０は、シート部１１と、第１肩ベルト２１と、第２肩ベルト２２と、腰ベルト３１とを有する。縦抱きシート１０の１対の肩ベルトになる第１肩ベルト２１および第２肩ベルト２２は、シート部１１の長手方向一方側の幅方向両側とそれぞれ結合する。腰ベルト３１はシート部１１の長手方向他方側と結合して幅方向へ延びる。
【００２９】
シート部１１は縦抱き状態で乳幼児を直接保持する。またシート部１１は、後述する横抱き状態で、乳幼児を支持する横抱きシートを直接保持する。このためシート部１１は、厚みの大きなシート状の縫製部材からなり、長手方向および幅方向に広がる。
【００３０】
シート部１１の長手方向一方端には１対の肩ベルトになる第１肩ベルト２１および第２肩ベルト２２が縫い付けられる。シート部１１の長手方向他方端には腰ベルト３１が縫い付けられる。またシート部１１の長手方向一方端部にはヘッドカバー１２がボタンあるいはファスナ等で着脱可能に取り付けられる。ヘッドカバー１２は、厚みの小さな布からなり、シート部１１の長手方向一方端から延出する。ヘッドカバー１２の幅方向両端には、１対の留め帯１３がそれぞれ設けられる。留め帯１３の根元はヘッドカバー１２の長手方向一方端の角部に縫い付けられ、留め帯１３の先端側には、複数のボタン１４、１４が間隔を開けて設けられる。
【００３１】
シート部１１の幅方向一方側縁および幅方向他方側縁には、１対のクッション筒１５，１６が縫い付けられて結合する。クッション筒１５，１６はクッション性の縫製部材からなる先端開口の筒であり、これらのクッション筒は内部にバックルを収納する。クッション筒１５，１６内のバックルは、シート部１１にそれぞれ縫い付けられ、シート部１１の長手方向一方寄りに位置する。クッション筒１５，１６、後述するクッションシート、および他のクッション筒等を含めて、バックルを包囲する緩衝部材は、バックルが乳幼児に当接することを防止する。
【００３２】
シート部１１の幅方向一方側縁および幅方向他方側縁には、通気性の良い薄い布からなる１対の股布１１ｍが縫い付けられる。股布１１ｍはクッション筒１５，１６から腰ベルト３１までシート部１１の長手方向に延び、乳幼児の脚の付け根と接触する。
【００３３】
図２に示すように、シート部１１の内側面には通気性の良い薄い布からなる股当て１７が設けられる。股当て１７はＴ字のような形状であって、股当て１７の下端縁がシート部１１の長手方向他方端に縫い付けられる。股当て１７の上端縁は自由端にされる。また股当て１７の上端縁のうち幅方向一方および他方には、１対のバックル１８がそれぞれ設けられる。
【００３４】
第１肩ベルト２１の根元はシート部１１の長手方向一方側に縫い付けられて結合する。具体的に第１肩ベルト２１は、シート部１１の幅方向一方側から長手方向一方へ延出する。
【００３５】
第１肩ベルト２１の先端には接続具２１ｃが固定され、接続具２１ｃには第１肩ベルト帯２３が取り付けられている。第１肩ベルト帯２３は第１肩ベルト２１の先端から延出するものであり、第１肩ベルト帯２３の先端側にはバックル２５が取り付けられる。第１肩ベルト帯２３を接続具２１ｃに沿って滑らすことにより接続具２１ｃからバックル２５までの長さを調整可能とされる。
【００３６】
第１肩ベルト２１は、縦抱き状態で着用者の一方の肩に掛けられる。このため第１肩ベルト２１は、通常の帯よりもベルト幅およびベルト厚みの大きな縫製部材からなり、子守帯の荷重を着用者の肩の広範囲に分散させる。
【００３７】
第１肩ベルト２１の長手方向中央には、ブリッジベルト４１が取り付けられている。ブリッジベルト４１は第１肩ベルト２１から延びる帯であって、その先端側にバックル４３を有する。バックル４３はブリッジベルト４１に沿って位置調整可能である。さらに第１肩ベルト２１の長手方向中程には、前述したヘッドカバー１２の留め帯１３のボタン１４と係合する複数のボタン２７が間隔を開けて設けられる。
【００３８】
第２肩ベルト２２は、シート部１１の幅方向中央で長手方向に延びる仮想線を対称軸として、第１肩ベルトと対称に構成され、具体的にシート部１１の長手方向一方端のうち幅方向他方から延出する。したがって図１では、第２肩ベルト２２と、接続具２２ｃと、第２肩ベルト帯２４と、バックル２６と、ボタン２８と、ブリッジベルト４２と、クッション素材からなるクッション筒４５の符号のみを示し、詳細な説明を省略する。なお先端開口のクッション筒４５はブリッジベルト４２の先端に設けられたバックルを包囲する。したがってブリッジベルト４２の先端のバックルは外に露出しない。
【００３９】
図２に示すように、第１肩ベルト２１の根元には、内側面に沿ってクッションシート１９が設けられる。クッションシート１９と第１肩ベルト２１の内側面との隙間は、第１肩ベルト２１の延在方向に出し入れできる開口にされる。そしてクッションシート１９と第１肩ベルトの内側面の間にバックルを収容する。クッションシート１９の裏側に位置するバックル２０は、第１肩ベルト２１に縫い付けられて、外に露出しない。同様に、第２肩ベルト２２の根元にもクッションシート１９およびバックル２０（図１５）が設けられる。
【００４０】
腰ベルト３１は、シート部１１の長手方向他方端に縫い付けられて結合する。そしてシート部１１の長手方向他方端と連続する腰ベルト中央部３２と、幅方向一方に向かって延出する第１延出部３３と、幅方向他方に向かって延出する第２延出部３４とを有する。第１延出部３３の先端にはゴム帯からなる腰ベルト帯通し部３５とバックル３７とが設けられる。腰ベルト帯通し部３５は腰ベルト３１の長手方向に貫通する輪である。第２延出部３４の先端からは腰ベルト帯３６が延出する。腰ベルト帯３６にはバックル３８が取り付けられる。バックル３８は腰ベルト帯３６に沿って位置調整可能である。バックル３７，３８を互いに連結することにより、腰ベルト３１は、縦抱き状態で着用者の腰に巻き掛けられる。このため腰ベルト３１は、通常の帯よりもベルト幅およびベルト厚みの大きな縫製部材からなり、子守帯の荷重を着用者の腰の広範囲に分散させる。
【００４１】
着用者が乳幼児を縦抱きするには、図３に示すように、まず乳幼児Ｂの頭を長手方向一方に向け、乳幼児Ｂの足を長手方向他方に向けて、乳幼児Ｂをシート部１１の内側面に寝かせ、股当て１７で乳幼児Ｂの股を覆い、幅方向一方のバックル１８を、幅方向一方のバックル２０に連結し、幅方向他方のバックル１８を、幅方向他方のバックル２０に連結する。これにより乳幼児Ｂはシート部１１に拘束される。
【００４２】
また、第１肩ベルト２１のバックル２５をクッション筒１５の中のバックルに連結し、第２肩ベルト２２のバックル２６をクッション筒１６の中のバックルに連結して、着用者の肩を通す輪をそれぞれ形成する。次に着用者が両腕を一方の輪および他方の輪にそれぞれ差し込んで、第１肩ベルト２１および第２肩ベルト２２を肩にそれぞれ掛けることにより、乳幼児Ｂは着用者に縦抱きにされる。なお縦抱きはおんぶでもだっこでもよい。
【００４３】
次に着用者は、腰ベルト３１の第１延出部３３および第２延出部３４を腰の両側にそれぞれ掛け、バックル３８を腰ベルト帯通し部３５に差し込んだ後にバックル３７に連結する。これにより、乳幼児Ｂの体重を含む子守帯の荷重が、着用者の肩だけでなく、着用者の腰にも分担される。そして第１肩ベルト２１および第２肩ベルト２２は、単なる布製帯にすぎない第１肩ベルト帯２３および第２肩ベルト帯２４よりも幅寸法および厚み寸法の大きな部材からなるので、子守帯の荷重を着用者の両肩の広範囲に優しく分散することができる。また腰ベルト３１も、単なる布製帯にすぎない腰ベルト帯３６よりも幅寸法および厚み寸法の大きな部材からなるので、子守帯の荷重を着用者の腰の広範囲に優しく分散することができる。
【００４４】
次に、ブリッジベルト４１のバックル４３を、図４に示すようにクッション筒４５の開口に差し込み、ブリッジベルト４２の先端のバックル（クッション筒４５内）に連結する。これにより、第１肩ベルト２１および第２肩ベルト２２が互いに接近して、図５に示すように着用者Ｍの両肩に深く掛けられる。本実施例の子守帯は、図５に示すような小さな乳幼児Ｂを縦抱きすることができる他、図示はしなかったが大きく成長した幼児も縦抱き可能である。
【００４５】
なお着用者Ｍは、必要に応じて、ヘッドカバー１２を乳幼児Ｂの頭に掛けてやるとよい。ヘッドカバー１２側のボタン１４は、肩ベルト側の複数のボタン２７，２８と選択的に係合することから、ヘッドカバー１２の高さ位置を調節可能である。
【００４６】
万一、着用者の不注意で腰ベルトのバックル３７，３８の連結が解除された場合、バックル３８は腰ベルト帯通し部３５に係止する。これにより腰ベルト３１は着用者の腰から不用意に外れることがない。
【００４７】
子守帯で乳幼児を縦抱きも横抱きもしない場合、着用者は本実施例の子守帯のうち、シート部１１、第１肩ベルト２１、および第２肩ベルト２２をまとめて畳むことができる。
【００４８】
本実施例の子守帯には、図６に示すように、腰ベルト３１の外側面に帯５１が設けられる。具体的に帯５１は、その根元で腰ベルト中央部３２と結合する。そして帯５１の先端にはボタン５２が設けられる。また、腰ベルト３１の外側面には、腰ベルト３１に沿って、シート部１１の長手方向に出し入れできるポケット５３が設けられ、通常は帯５１をポケット５３に収納する。
【００４９】
図２に示す状態から、第１肩ベルト２１および第２肩ベルト２２をシート部１１の内側面に重ねるように折り、シート部１１を長手方向一方側から他方側へ巻いていくと、シート部１１は腰ベルト３１と隣接する位置まで縮小される。次に帯５１を、巻かれたシート部１１に巻き掛け、帯５１先端のボタン５２を、腰ベルト中央部３２の内側面に設けられ、ポケットによって外に露出しないようにされたボタン５４（図２）に係合させる。これにより図７に示すように、シート部１１、第１肩ベルト２１、および第２肩ベルト２２をまとめて畳んだ状態で保持する。したがって着用者は、使用しないシート部１１等を縮小させたまま、腰ベルト３１を着用者の腰に巻き掛けておくことで、縦抱きシート１０をコンパクトな状態で身に着けることができる。
【００５０】
乳幼児を横抱きする場合について以下に説明する。
【００５１】
図８は本実施例になる子守帯の横抱きシートの下側面を示す図であり、図９は横抱きシートの上側面を示す図である。図１０は横抱き状態で乳児を保持した状態を示す図である。横抱きシート６０は、ヘッドシート部６５、バックシート部６６、およびクロッチ部を有する。ヘッドシート部６５は乳児の頭を下から支持する。ヘッドシート部６５の長手方向他方端にはバックシート部６６が接続する。バックシート部６６は乳児の背中および尻を下から支持する。ヘッドシート部６５およびバックシート部６６は連続して形成され、これらの内部に硬質の板材６１を含む。破線で示す板材６１は容易に変形せず、乳児を横抱き状態で安定して支持する。バックシート部６６の長手方向他方端にはクロッチ部６９が接続する。クロッチ部６９は布製で屈曲可能であり、バックシート部６６から起立して乳児の股と対面する。また、クロッチ部６９の下側面にはポケット６２が設けられ、クロッチ部６９は袋状に形成される。ポケット６２の出入口６３は、横抱きシート６０の下側面に位置し、横抱きシート６０の幅方向に延在する。これによりポケット６２は折り畳まれた腰ベルト３１を後述のように横抱きシート６０の長手方向に出し入れすることができる。
【００５２】
図８に示すように、ポケット６２は略台形形状であり、ポケット６２の奥側が、ポケット６２の出入口６３よりも幅方向に広がるよう幅広に形成される。なお出入口６３はゴム糸を含み、力を加えると大きく開口する。クロッチ部６９の下側面、すなわちポケット６２の幅方向中央部には、ベルト案内部６４が設けられる。ベルト案内部６４は横抱きシート６０の長手方向に貫通する布製の輪であり、後述のようにベルトを案内する。
【００５３】
バックシート部６６の長手方向他方端には、下側面から延びる１対の接続ベルト７１，７２が設けられる。具体的に接続ベルト７１の根元は、バックシート部６６の幅方向一方側に縫い付けられ、接続ベルト７２の根元は横抱きシート６０の幅方向他方側に縫い付けられる。接続ベルト７１，７２の先端にはクッション筒７３，７４がそれぞれ設けられる。クッション筒７３，７４はクッション性の縫製部材からなる先端開口の筒であり、これらのクッション筒７３，７４は内部にバックルを収容する。クッション筒７３，７４内のバックルは接続ベルト７１，７２の先端にそれぞれ縫い付けられている。
【００５４】
横抱きシート６０の幅方向両側には１対のバックル通し部８１が設けられる。バックル通し部８１は布製の輪であり、横抱きシート６０の長手方向一方寄りに配置される。ヘッドシート部６５は板材６１とともに半円状にされ、かかる半円弧形状の長手方向一方縁に沿ってヘッドガード部８３が接続する。ヘッドガード部８３はヘッドシート部６５の上側面から起立して、ヘッドシート部６５の上側面に支持される乳児の頭を保護する。
【００５５】
バックシート部６６の上側面には、通気性の良い薄い布からなる股当て６７が設けられる。股当て６７はＴ字のような形状であって、股当て６７の下端縁がバックシート部６６０の長手方向他方端部に縫い付けられる。股当て６７の上端縁は自由端にされる。股当て６７の下端縁は板材６１の長手方向他方端縁と略同じ位置にされる。また股当て６７の上端縁のうち幅方向一方および他方には、１対のバックル６８がそれぞれ設けられる。
【００５６】
着用者が乳幼児を横抱きするには、図１０に示すように、シート部１１の内側面に横抱きシート６０の下側面を面接触させ、長手方向他方側および幅方向両側で縦抱きシート１０と横抱きシート６０を互いに連結して、横抱きシート６０を縦抱きシート１０に重ねるように取り付ける。次に乳児Ｃを横抱きシート６０の上側面に横たわらせて、股当て６７で乳児Ｃを拘束する。
【００５７】
縦抱きシート１０と横抱きシート６０を互いに連結する手順につき具体的に説明する。シート部１１の内側面に横抱きシート６０を重ねて載せた状態で、まず図１１に示すように、腰ベルト３１をポケット６２の奥側の幅方向寸法と略同じになるように折り畳む。ここでは、腰ベルト中央部３２の内側面に、第１延出部３３と、第２延出部３４と、腰ベルト帯３６とを重ねていくように折り畳むと良い。
【００５８】
次に図１２に示すように、折り畳んだ腰ベルト３１をシート部１１の内側面に近づくように起こし、ポケット６２を下方（シート部１１側）に向けて、折り畳んだ腰ベルト３１をポケット６２の出入口６３に差し込む。これにより図１３に示すように、折り畳まれた腰ベルト３１はポケット６２に収納される。ポケット６２は、図８等に示すように、出入口６３よりも奥側が幅広となるよう略台形のような形に形成されることから、折り畳まれた腰ベルト３１がポケット６２から容易に飛び出すことはない。
【００５９】
次に図１４に示すように、接続ベルト７１，７２をベルト案内部６４に通す。図１４は図１０のXIVで示す箇所を詳細に示す図である。なお接続ベルト７１，７２は、長手方向一方側から他方側に通されて、ポケット６２の幅方向一方側および幅方向他方側にそれぞれ掛けられる。接続ベルト７１，７２をこのようにベルト案内部６４に通すことによって、接続ベルト７１，７２はポケット６２に沿って斜め方向に延びる。これにより、ポケット６２の幅方向一方端が一方の接続ベルト７１を越えて幅方向一方へ張り出すとともに、ポケット６２の幅方向他方端が他方の接続ベルト７２を越えて幅方向他方へ張り出し、接続ベルト７１，７２はポケット６２を含むクロッチ部６９を上方へ起立させつつ安定して支持することができる。
【００６０】
次に第１肩ベルト帯２３のバックル２５をクッション筒７３の開口に差し込み、接続ベルト７１先端のバックル（クッション筒７３内）に連結する。同様に、第２肩ベルト帯２４のバックル２６をクッション筒７４の開口に差し込み、接続ベルト７２先端のバックル（クッション筒７４内）に連結する。これにより、第１肩ベルト２１および接続ベルト７１が繋がって横抱きに適した長さの輪にされる（図１０）。同様に、第２肩ベルト２２および接続ベルト７２が繋がって横抱きに適した長さの輪にされる。
【００６１】
次に図１５に示すように、シート部１１側の股当て１７の１対のバックル１８を、幅方向同じ側のバックル通し部８１にそれぞれ通し、幅方向同じ側のクッションシート１９と肩ベルトとの間にそれぞれ差し込んで、幅方向同じ側のバックル２０にそれぞれ連結する。なおバックル２０はクッションシート１９に覆われており外に露出しない。図１５は図１０のXVで示す箇所を詳細に示す図である。
【００６２】
上述した１対のバックル１８，２０の連結操作と、腰ベルト３１をポケット６２に収納する操作と、接続ベルト７１，７２をベルト案内部６４に通す操作によって、横抱きシート６０は縦抱きシート１０に確りと取り付けられる（図１０）。
【００６３】
説明を図１０に戻すと、着用者が乳幼児を横抱きするには、乳児Ｃの頭を長手方向一方に向け、乳児Ｃの両足を長手方向他方に向けて、ヘッドシート部６５およびバックシート部６６の上側面に乳児Ｃをあおむけに横たわらせる。クロッチ部６９は乳児Ｃの両足の間に位置する。次に、股当て６７で乳児Ｃの股部を上から覆い、幅方向一方のバックル６８を、幅方向一方のクッション筒１５内のバックルに連結し、幅方向他方のバックル６８を、幅方向他方のクッション筒１６内のバックルに連結する。これにより乳児Ｃは横抱きシート６０に拘束される。
【００６４】
次に着用者が自分の一方の腕を、第１肩ベルト２１および接続ベルト７１の輪と、第２肩ベルト２２および接続ベルト７２の輪に差し込んで、第１肩ベルト２１および第２肩ベルト２２を自分の一方の肩にそれぞれたすき掛けすることにより、乳児Ｃは図１６に示すように着用者Ｍに横抱きにされる。好ましくは、このときブリッジベルト４１先端のバックル４３とブリッジベルト４２先端のバックル（クッション筒４５内）が互いに連結される。
【００６５】
なお接続ベルト７１，７２には子守帯の荷重がかかって上下方向に延びるため、折り畳んだ腰ベルト３１を収納するポケット６２およびクロッチ部６９も、バックシート部６６に対して起き上がる。クロッチ部６９およびポケット６２は、出入口６３側の幅方向寸法がポケット奥側の幅方向寸法よりも狭くなるよう形成されることから、図１６に示すように乳児Ｃの両脚をクロッチ部６９幅方向外方に迂回させ易くすることができる。これにより乳児Ｃは、長手方向に移動しないよう、クロッチ部６９とヘッドガード部８３の間に保持される。
【００６６】
ところで本実施例の子守帯によれば、縦抱きシート１０に横抱きシート６０を取り付けた状態で、クロッチ部６９は腰ベルト３１を畳んで保持するポケット６２を有することから、横抱き状態で使用されない腰ベルト３１を邪魔にならないよう縮小することができる。
【００６７】
また本実施例の子守帯によれば、ポケット６２の出入口６３が横抱きシート６０の幅方向に延在し、ポケット６２の奥側がポケット６２の出入口６３よりも幅方向に広がってポケット６２が形成されて、畳まれた腰ベルト３１をポケット奥側に収納することから、腰ベルト３１がポケット６２から容易に抜け出すことがない。
【００６８】
また本実施例の子守帯によれば、１対の接続ベルト７１，７２の根元がバックシート部６６と結合し、接続ベルト７１，７２の先端が第１肩ベルト２１および第２肩ベルト２２とそれぞれ接続することから、第１肩ベルト２１および第２肩ベルト２２を横抱きに適した長さに変更することができる。
【００６９】
また本実施例の子守帯によれば、接続ベルト７１，７２は横抱き状態でベルト案内部６４に通されることから、接続ベルト７１，７２がポケット部６２に掛けられる。したがって、クロッチ部６９が横抱き状態でぶらぶらと揺動することがない。しかもクロッチ部６９がバックシート部６６の上側面に対して起立し、バックシート部６６の上側面に寝かされる乳児Ｃの股を保護して、乳児Ｃの長手方向一方へのずり落ちを防止する。
【００７０】
また本実施例の子守帯によれば、シート部１１、第１肩ベルト２１、第２肩ベルト２２をまとめて畳んだ状態で保持する帯５１をさらに備えることから、子守帯に乳幼児を保持しない場合であっても、図７に示すようにシート部１１、第１肩ベルト２１、および第２肩ベルト２２をまとめて畳むことができる。したがって着用者の腰に腰ベルト３１を巻き掛け、シート部１１、第１肩ベルト２１、および第２肩ベルト２２を縮小した状態で、着用者は縦抱きシート１０を身に着けることができる。
【００７１】
以上、図面を参照してこの発明の実施の形態を説明したが、この発明は、図示した実施の形態のものに限定されない。図示した実施の形態に対して、この発明と同一の範囲内において、あるいは均等の範囲内において、種々の修正や変形を加えることが可能である。
【産業上の利用可能性】
【００７２】
この発明になる子守帯は、育児器具において有利に利用される。
【符号の説明】
【００７３】
１０  縦抱きシート、１１  シート部、１２  ヘッドカバー、１３  留め帯、１４  ボタン、１５，１６  クッション筒、１７  股当て、１８  バックル、２０  バックル、２１  第１肩ベルト、２２  第２肩ベルト、２３  第１肩ベルト帯、２４  第２肩ベルト帯、２５，２６  バックル、２７，２８  ボタン、３１  腰ベルト、３２  腰ベルト中央部、３３  第１延出部、３４  第２延出部、３５  腰ベルト帯通し部、３６  腰ベルト帯、３７，３８  バックル、４１，４２  ブリッジベルト、４３  バックル、４５  クッション筒、５１  帯、６０  横抱きシート、６１  板材、６２  ポケット、６３  出入口、６４  ベルト案内部、６５  ヘッドシート部、６６  バックシート部、６７  股当て、６８  バックル、７１，７２  接続ベルト、７３，７４  クッション筒、８１  バックル通し部、８３  ヘッドガード部。
【図１】
0005480313.tif 000002
【図２】
0005480313.tif 000003
【図３】
0005480313.tif 000004
【図４】
0005480313.tif 000005
【図５】
0005480313.tif 000006
【図６】
0005480313.tif 000007
【図７】
0005480313.tif 000008
【図８】
0005480313.tif 000009
【図９】
0005480313.tif 000010
【図１０】
0005480313.tif 000011
【図１１】
0005480313.tif 000012
【図１２】
0005480313.tif 000013
【図１３】
0005480313.tif 000014
【図１４】
0005480313.tif 000015
【図１５】
0005480313.tif 000016
【図１６】
0005480313.tif 000017